(57)【特許請求の範囲】
【請求項１】
手甲部に装着感を調整するためのベルト部を取り付け、前記手甲部と前記ベルト部とを一対の面ファスナーを介して着脱自在に構成した手袋において、前記手甲部の面ファスナーに内側通気穴を形成し、前記ベルト部の生地及び面ファスナーに外側通気穴を形成すると共に、前記ベルト部に基板部と屋根部とからなる二重構造の表示部材を前記外側通気穴を覆うように取り付け、前記基板部の前記屋根部で覆われた部位に前記外側通気穴に連通する貫通孔を設け、前記基板部と前記屋根部との間に通気口を設けたことを特徴とするスポーツ用手袋。
【請求項２】
前記内側通気穴の寸法を前記外側通気穴の寸法よりも大きくしたことを特徴とする請求項１に記載のスポーツ用手袋。
【請求項３】
前記表示部材がエラストマーの成形体であることを特徴とする請求項１又は請求項２に記載のスポーツ用手袋。
【請求項４】
前記表示部材がシリコーンゴムの成形体であることを特徴とする請求項１又は請求項２に記載のスポーツ用手袋。
【発明の詳細な説明】
【技術分野】
【０００１】
本発明は、手甲部に装着感を調整するためのベルト部を取り付け、手甲部とベルト部とを一対の面ファスナーを介して着脱自在に構成した手袋に関し、更に詳しくは、通気穴により手袋内の蒸れを防止すると共に、その通気穴に起因する不都合を回避することを可能にしたスポーツ用手袋に関する。
【背景技術】
【０００２】
スポーツ用手袋では、手甲部に装着感を調整するためのベルト部が設けれており、これら手甲部とベルト部のそれぞれに面ファスナーが縫い付けられていて、手甲部に対するベルト部の係合位置を選択することにより、その装着感を調整できるようになっている。
【０００３】
このように構成されるスポーツ用手袋では、手甲部及びベルト部の生地や面ファスナーが幾重にも重なり合うため、手甲部に蒸れを生じ易いという欠点がある。特に、ベルト部にブランドマークを入れたワッペン等の表示部材を載せた場合、蒸れによる不快感が益々増大することになる。そのため、このようなスポーツ用手袋の着用者は、通気を促すためにベルト部を捲り、手甲部に外気を入れることで不快感を解消している。
【０００４】
これに対して、手甲部における通気性を得るために、手甲部及びベルト部の生地や面ファスナーに通気穴を貫通させたスポーツ用手袋が提案されている（例えば、特許文献１参照）。しかしながら、手甲部及びベルト部に通気穴を貫通させた場合、降雨の際に通気穴から雨水が直接浸入し、逆に不快感を増大させることになる。また、このようなスポーツ用手袋をゴルフに使用する場合、手甲部及びベルト部に通気穴が貫通していると、ゴルフクラブのスイングの際に手の甲に風が当たって違和感を生じることになる。更に、手甲部及びベルト部に通気穴を設けることはベルト部による締付力の低下を招き、延いては、グリップ力の低下にも繋がる。
【特許文献１】実公平８−７８８８号公報
【発明の開示】
【発明が解決しようとする課題】
【０００５】
本発明の目的は、通気穴により手袋内の蒸れを防止すると共に、その通気穴に起因する不都合を回避することを可能にしたスポーツ用手袋を提供することにある。
【課題を解決するための手段】
【０００６】
上記目的を達成するための本発明のスポーツ用手袋は、手甲部に装着感を調整するためのベルト部を取り付け、前記手甲部と前記ベルト部とを一対の面ファスナーを介して着脱自在に構成した手袋において、前記手甲部の面ファスナーに内側通気穴を形成し、前記ベルト部の生地及び面ファスナーに外側通気穴を形成すると共に、前記ベルト部に基板部と屋根部とからなる二重構造の表示部材を前記外側通気穴を覆うように取り付け、前記基板部の前記屋根部で覆われた部位に前記外側通気穴に連通する貫通孔を設け、前記基板部と前記屋根部との間に通気口を設けたことを特徴とするものである。
【発明の効果】
【０００７】
本発明では、手甲部の面ファスナーに内側通気穴を形成し、ベルト部の生地及び面ファスナーに外側通気穴を形成すると共に、ベルト部に通気性を有する表示部材を取り付けることにより、手袋内の蒸れを防止することが可能である。また、表示部材は基板部と屋根部とからなる二重構造を有し、基板部と屋根部との間に表示部材の側方に向かって開口する通気口を備えているので、通気穴を介して手袋内に雨水が浸入し難く、しかもゴルフクラブのスイングの際に手の甲に風が当たらず違和感を生じ難い。更に、ベルト部の通気穴を表示部材で覆うようにしているので、ベルト部による締付力の低下を回避し、延いては、グリップ力の低下を回避することができる。
【０００８】
本発明において、内側通気穴の寸法は外側通気穴の寸法よりも大きくすることが好ましい。このように内側通気穴の寸法を外側通気穴の寸法よりも大きくした場合、手甲部に対するベルト部の係合位置が変化しても、内側通気穴と外側通気穴との連通状態を維持することができる。
【０００９】
表示部材はエラストマーの成形体であることが好ましい。表示部材をエラストマーの成形体とすることにより、表示部材がベルト部の変形に追従して変形することができる。エラストマーとしては、ゴムや合成樹脂を使用することが可能であるが、特に耐候性に優れたシリコーンゴムが好適である。
【発明を実施するための最良の形態】
【００１０】
以下、本発明の構成について添付の図面を参照しながら詳細に説明する。図１は本発明の実施形態からなるスポーツ用手袋を示す平面図であり、図２は図１のスポーツ用手袋のベルト部を開放した状態を示す平面図であり、図３は図１のＸ−Ｘ矢視断面図である。
【００１１】
図１〜図３に示すように、本実施形態のスポーツ用手袋は、手の甲を覆う手甲部１と手の平を覆う手平部２とを有し、５本の指をそれぞれ収容するような手袋形状に縫合されている。手甲部１には生地として布帛が使用されている。特に、メッシュ生地は通気性が優れているため手甲部１の生地として好適である。一方、手平部２には生地として合成皮革又は天然皮革が使用されている。これら手甲部１や手平部２はそれぞれ単一の生地から構成しても良いが、複数種類の生地を組み合わせて縫合しても良い。
【００１２】
手甲部１には装着感を調整するためのベルト部３を取り付けられている。より具体的には、手甲部１にはスリット４が形成されており、そのスリット４に沿ってベルト部３の端部が縫い付けられている。そして、手甲部１にはベルト部３が重なる部位に面ファスナー５が縫い付けられている。一方、ベルト部３には手甲部１と重なる部位に面ファスナー５に対して係合可能な面ファスナー６が縫い付けられている。そのため、手甲部１とベルト部３とは一対の面ファスナー５，６を介して着脱自在に構成されている。
【００１３】
上記スポーツ用手袋において、手甲部１の面ファスナー５には長円形状を有する内側通気穴７が形成されている。必要に応じて、面ファスナー５のみならず手甲部１の生地にも内側通気穴７を貫通させることができる。一方、ベルト部３の生地及び面ファスナー６には長円形状を有する外側通気穴８が形成されている。内側通気穴７の寸法は外側通気穴８の寸法よりも大きく、手甲部１に対するベルト部３の係合位置が変化しても、内側通気穴７と外側通気穴８との連通状態を維持するようになっている。
【００１４】
ベルト部３の外面には二重構造を有する表示部材１０（ワッペン）が外側通気穴８を覆うように取り付けられている。表示部材１０はベルト部３に対して縫合することが可能であるが、表示部材１０が熱可塑性材料から構成される場合はベルト部３に対して熱融着させることも可能である。表示部材１０は、外側通気穴８よりも大きい長円形状を有する基板部１１と、基板部１１上に配置された屋根部１２とから構成されている。基板部１１の屋根部１２で覆われた部位には外側通気穴８に連通する複数個の貫通孔１３が形成されている。また、基板部１１と屋根部１２との間には表示部材１０の側方に向かって開口する通気口１４が形成されている。つまり、屋根部１２はその外縁部分が基板部１１に対して連結されているが、通気口１４の部分だけが開放されている。
【００１５】
表示部材１０は、ベルト部３の変形に追従して変形可能となるように、ゴムや合成樹脂等のエラストマーから成形されている。特に、表示部材１０がシリコーンゴムの成形体であると良い。表示部材１０の屋根部１２には、ブランドマーク、製品名、製品番号等の表示すべき情報が表示される。その表示方法は特に限定されるものではなく、例えば、表示部材１０の天面に文字等を印刷したり、表示部材１０の天面に文字等を貼り付けたり、表示部材１０の天面に文字等を成形することができる。
【００１６】
上述のように構成されるスポーツ用手袋では、手甲部１の面ファスナー５に内側通気穴７を形成し、ベルト部３の生地及び面ファスナー６に外側通気穴８を形成すると共に、ベルト部３に貫通孔１３及び通気口１４により通気性を有する表示部材１０を取り付けているので、これら一連の内側通気穴７、外側通気穴８、貫通孔１３及び通気口１４を介して手袋内外の通気が可能である。そのため、ベルト部３に表示部材１０を設けたスポーツ用手袋において、ベルト部３を締めた状態でも通気を促して手袋内の蒸れを防止することができる。
【００１７】
また、表示部材１０は基板部１１と屋根部１２とからなる二重構造を有し、基板部１１と屋根部１２との間に表示部材１０の側方に向かって開口する通気口１４を備えているので、内側通気穴７及び外側通気穴８を設けたことによる不都合を回避することができる。即ち、表示部材１０の側方に向かって通気口１４が開口しているため、通気穴７，８を介して手袋内に雨水が浸入し難い。また、上記スポーツ用手袋をゴルフに使用する場合において、表示部材１０の側方に向かって通気口１４が開口しているため、ゴルフクラブのスイングの際に手の甲に風が当たらず違和感を生じ難い。更に、ベルト部３の通気穴８を表示部材１０で覆うようにしているので、ベルト部３による締付力の低下を回避してグリップ力の低下を回避することができる。
【図面の簡単な説明】
【００１８】
【図１】本発明の実施形態からなるスポーツ用手袋を示す平面図である。
【図２】図１のスポーツ用手袋のベルト部を開放した状態を示す平面図である。
【図３】図１のＸ−Ｘ矢視断面図である。
【符号の説明】
【００１９】
１  手甲部
２  手平部
３  ベルト部
４  スリット
５，６  面ファスナー
７  内側通気穴
８  外側通気穴
１０  表示部材
１１  基板部
１２  屋根部
１３  貫通孔
１４  通気口
【図１】
0004877097.tif 000002
【図２】
0004877097.tif 000003
【図３】
0004877097.tif 000004